(57)【要約】【課題】ジャム処理や点検・修理等を行う際に液体チューブ及びチューブ支持部材が邪魔にならず、効率よく作業することのできる液体吐出装置を提供する。【解決手段】チューブ支持棒１２はボス１３を回転中心として（両矢印Ａ方向に）回動可能に保持されるとともに、チューブ支持棒１２と支持棒ジョイント１４が一体となってボス１６を回転中心として（両矢印Ｂ方向に）回動可能となっている。ジャム処理時には、チューブ支持棒１２（及び支持棒ジョイント１４）を回動させて、インクチューブ１１を用紙搬送面の上から退避させることで、チューブ支持棒１２及びインクチューブ１１が作業の邪魔にならない。【選択図】図３
2015223719.tif 000002
【特許請求の範囲】
【請求項１】
液体を吐出する吐出ヘッドと、液体収容部からの液体を前記吐出ヘッドに送るチューブと、前記チューブを支持するチューブ支持部材とを備える画像形成装置において、
前記チューブ支持部材は、前記ヘッドの走査に連動して可動、かつ、前記チューブが上下方向に移動できるよう可動に設けられ、
該チューブ支持部材に支持された前記チューブが、前記ヘッドの走査面の上方から一部あるいは全て退避可能であることを特徴とする液体吐出装置。
【請求項２】
前記チューブ支持部材は、前記チューブを下降させる方向に付勢部材により付勢されていることを特徴とする、請求項１に記載の液体吐出装置。
【請求項３】
前記チューブを所定位置に上昇させた状態で前記チューブ支持部材をロックするロック手段を有することを特徴とする、請求項１又は２に記載の液体吐出装置。
【請求項４】
前記チューブ支持部材の、前記チューブを上下に移動させる方向の可動範囲を規制する規制部材を有することを特徴とする、請求項１〜３のいずれか１項に記載の液体吐出装置。
【請求項５】
装置上側から前記吐出ヘッド走査面を覆うカバー部材を有し、該カバー部材の開閉と連動して前記チューブ支持部材が移動することを特徴とする、請求項１〜４のいずれか１項に記載の液体吐出装置。
【請求項６】
前記チューブ支持部材が、回転方向の異なる第１の回転軸と第２の回転軸によりそれぞれ回動可能に構成されていることを特徴とする、請求項１〜５のいずれか１項に記載の液体吐出装置。
【請求項７】
前記チューブ支持部材が、前記第１の回転軸により回動可能な第１部材と、前記第２の回転軸により回動可能な第２部材とからなることを特徴とする、請求項６に記載の液体吐出装置。
【請求項８】
請求項１〜７のいずれか１項に記載の液体吐出装置を備えることを特徴とする画像形成装置。
【請求項９】
前記チューブを前記ヘッドの走査面の上方から退避させてジャム処理を行うよう構成されていることを特徴とする、請求項８に記載の画像形成装置。
【発明の詳細な説明】
【技術分野】
【０００１】
本発明は、吐出ヘッドから液滴を吐出して記録する画像形成装置に関する。
【背景技術】
【０００２】
記録媒体に、吐出ヘッド（記録ヘッド）から液体を吐出して記録する画像形成装置として、インクジェット記録装置が知られている。インクジェット記録装置において、用紙搬送面の上方に長いチューブ（インクチューブ）を這わせ、インク収容部（カートリッジ、タンク等）からのインクをヘッドに送るように構成されたものがある。
【０００３】
記録媒体として例えばＡ３サイズの用紙を使用可能な搬送幅の大きな装置の場合、長期間放置しておくと重力によりインクチューブが垂れ下がってきてしまう。チューブが垂れさがってしまうとキャリッジの挙動が不安定になったり、他の部品に緩衝してしまうという不具合がある。これを防止するためにインクチューブを支持するチューブ支持棒（チューブ支持部材）を取り付けることが、従来より行われている。
【０００４】
用紙搬送面上方に這い回されたインクチューブは、記録ヘッドを搭載したキャリッジの左右（主走査方向＝用紙搬送方向と直交する方向）の動きに連動して動くため、それに応じて上記のチューブ支持棒も動作するようになっている。一般的な構成では、チューブ支持棒を保持するホルダが装置本体に固定されており、そのホルダに設けられた穴部に、チューブ支持棒のボス（凸部）が嵌め込まれ、そこを回転中心としてチューブ支持棒がキャリッジの走査に連動して動くようになっている。
【発明の概要】
【発明が解決しようとする課題】
【０００５】
図１１は、インクチューブを支持するチューブ支持棒を備えるインクジェット記録装置の一例を示すもので、用紙搬送面９０の上方にインクチューブ９１が這い回されている。インクチューブ９１は長いため、そのままでは下方にたるんでしまうため、チューブ支持棒９２によってインクチューブ９１を支持している。チューブ支持棒９２は、その根元部を回転中心として回動できるようになっている。
【０００６】
図１１に示すような構成において、紙詰まり（用紙ジャム）が発生した場合には、図示しない上カバーを開放して用紙搬送面９０を露出させ、上カバーを開いた開口部から手を入れてジャム紙を除去する（ジャム処理を行う）。その際、インクチューブ９１及びチューブ支持棒９２が開口面の一部を覆っている（インクチューブ９１及びチューブ支持棒９２が用紙搬送面９０の上に位置している）ため、ジャム紙を除去しづらい。すなわち、インクチューブ９１とチューブ支持棒９２の隙間から手を入れてジャム紙を除去するため、ジャム処理の作業効率が悪い。
【０００７】
特開２０１３−１２１６５９号公報（特許文献１）には、ジャム紙を効率よく除去することを目的とした記録装置が開示されている。この記録装置は２つのカバーを有し、インク供給チューブは後ろ側から這い回されており、２つめのカバーのところにインク供給チューブがあり、１つめのカバーを開けるとジャム紙を除去でき、装置手前側から作業ができるように構成されている。
【０００８】
しかしながら、上記特許文献１に記載のものを含め、従来の構成では、ジャム紙を上方から効率良く除去するという問題は解消できていない。
また、インク以外の液体、例えばＤＮＡ試料やレジスト、パターン材料などを吐出する液体吐出装置においても同様の問題があり、吐出ヘッドを搭載したキャリッジが移動する走査部で故障が発生した場合など、上カバーを開いた開口部から手を入れて点検・修理等を行う場合に、液体チューブとチューブ支持棒（チューブ支持部材）が邪魔になり、作業効率が悪いという問題がある。
【０００９】
そこで本発明は、従来の液体吐出装置における上述の問題を解決し、ジャム処理や点検・修理等を行う際に液体チューブ及びチューブ支持部材が邪魔にならず、効率よく作業することのできる液体吐出装置を提供することを課題とする。
【課題を解決するための手段】
【００１０】
この課題を解決するため、本発明は、液体を吐出する吐出ヘッドと、液体収容部からの液体を前記吐出ヘッドに送るチューブと、前記チューブを支持するチューブ支持部材とを備える画像形成装置において、前記チューブ支持部材は、前記ヘッドの走査に連動して可動、かつ、前記チューブが上下方向に移動できるよう可動に設けられ、該チューブ支持部材に支持された前記チューブが、前記ヘッドの走査面の上方から一部あるいは全て退避可能であることを特徴とする。
【発明の効果】
【００１１】
本発明によれば、ジャム処理や点検・修理等を行う際には、チューブ支持部材に支持されたチューブを、ヘッドの走査面の上方から退避させることができるので、チューブ支持部材およびチューブが作業の邪魔にならず、作業効率を向上させることができる。
【図面の簡単な説明】
【００１２】
【図１】本発明に係るインクジェット記録装置の概略構成を示す、機構部の斜視図である。
【図２】本実施形態におけるインク供給チューブ及びチューブ支持棒を示す平面図である。
【図３】チューブ支持棒の支持機構を説明する斜視図である。
【図４】チューブ支持棒を退避させた様子を示す平面図である。
【図５】図４の側面図である。
【図６】チューブ支持棒の回転範囲を規制する構成を示す部分斜視図である。
【図７】支持棒ジョイントを付勢する構成を示す部分斜視図である。
【図８】チューブ支持棒のロック機構を示す部分斜視図と断面図である。
【図９】インクジェット記録装置を背面側から見た斜視図である。
【図１０】上カバーとチューブ支持棒を連動させる構成例を示す部分斜視図である。
【図１１】インクチューブを支持するチューブ支持棒を備えるインクジェット記録装置の一例を示す図である。
【図１２】インク供給チューブを移動可能に支持した従来の構成例を示す図である。
【発明を実施するための形態】
【００１３】
発明の実施形態を説明する前に、インク供給チューブを移動可能に支持した従来の構成例について図１２を参照して説明する。
図１２は、インク供給チューブを移動可能に支持した従来構成の一例を示すものである。この図において、チューブ支持棒９２によってインクチューブ９１が支持されている。チューブ支持棒９２の根元部９２ａには、図１２（ｂ）に拡大して示すように、ボス９３が凸設されている。装置本体側にはホルダ９４が固定されており、そのホルダ９４に設けられた嵌合部９５にボス９３が嵌め込まれることで、チューブ支持棒９２が図１２（ａ）に両矢印で示すように回動可能に保持されている。そして、チューブ支持棒９２によって支持されたインクチューブ９１は、記録ヘッドを搭載したキャリッジの走査に連動して動くようになっている。
【００１４】
チューブ支持棒９２は平面的に回動するため、ジャム処理時に、インクチューブ９１は用紙搬送面９０の上方から十分に退避することはできず、ジャム紙を除去する際にインクチューブ９１及びチューブ支持棒９２が邪魔になってしまい、ジャム処理の作業効率に優れない。
【００１５】
このような点を踏まえて本願発明はなされたものであり、以下、図面を参照して本発明の実施形態について説明する。
図１は、本発明に係る画像形成装置の一例であるインクジェット記録装置の概略構成を示す、機構部の斜視図である。本実施形態のインクジェット記録装置は、装置本体の内部に、画像を形成するための記録装置エンジンを有し、装置本体の底部に設けた給紙部から記録媒体を給紙して、副走査搬送手段によって、記録媒体を搬送しながら、記録ヘッドを搭載したキャリッジによって、記録媒体にインクを吐出して画像を形成する。
【００１６】
より詳細には、図１に示すように、、左右の側板に架け渡した案内部材である板状部材からなるガイド部材３にてキャリッジ４を主走査方向に移動可能に支持し、主走査モータ５によって、駆動プーリと従動プーリとの間に張った状態で掛け回されたタイミングベルト（図示せず）を介してキャリッジ４を主走査方向に移動走査する。
【００１７】
上記したキャリッジ４には、イエロー（Ｙ）、シアン（Ｃ）、マゼンタ（Ｍ）、ブラック（Ｋ）の各色の液滴を吐出する画像形成手段としての液体吐出ヘッからなる記録ヘッド（図示せず）が搭載されている。記録ヘッド（吐出ヘッド）の上部には、一時的にインクを貯留するヘッドタンクがあり、装置本体のカートリッジ装着部６１に装着されたインクカートリッジ（図示せず）からのインクをインクチューブ１１を介してヘッドタンクに供給する。
【００１８】
図２は、本実施形態におけるインク供給チューブ（インクチューブ）及びチューブ支持棒を示す図である。この図において、用紙搬送面１０上方にインクチューブ１１（チューブ）が這い回されている。インクチューブ１１はチューブ支持棒１２によって支持されている。なお、用紙搬送面１０は、ヘッドを搭載したキャリッジ４が移動するキャリッジ走査部であり、ヘッド走査面である。
【００１９】
図３は、チューブ支持棒１２の支持機構を説明する斜視図である。
この図に示すように、チューブ支持棒１２の根元部１２ａには、円柱状のボス１３が凸設されている。ボス１３は、支持棒ジョイント１４に設けられた嵌合穴１５に嵌め込まれる。このボス１３を回転中心として、チューブ支持棒１２は、図３（ｂ）に両矢印Ａで示すように、回動可能に保持される。
【００２０】
さらに、支持棒ジョイント１４にも、円柱状のボス１６が凸設されている。ボス１６は、装置本体側の構成部材２０に設けられたジョイント保持部２１の嵌合穴２２に嵌め込まれる。このボス１６を回転中心として、支持棒ジョイント１４は、図３（ｂ）に両矢印Ｂで示すように、回動可能に保持される。
【００２１】
このような構成により、チューブ支持棒１２は、第１の回転軸であるボス１３を回転中心として（両矢印Ａ方向に）回動可能に保持されるとともに、チューブ支持棒１２と支持棒ジョイント１４が一体となって、第２の回転軸であるボス１６を回転中心として（両矢印Ｂ方向に）回動可能となっている。
【００２２】
本実施形態では、チューブ支持棒１２と支持棒ジョイント１４を合わせてチューブ支持部材とし、このチューブ支持部材が第１の回転軸と第２の回転軸を有する構成となっている。ここで、チューブ支持棒１２が第１部材であり、支持棒ジョイント１４が第２部材である。
【００２３】
また、本実施形態では、第１の回転軸（ボス１３）と、第２の回転軸（ボス１６）との角度が、９０度の関係に設定されている。ただし、第１の回転軸と第２の回転軸の角度関係は、これに限定されるものではない。また、本実施形態では、第２の回転軸（ボス１６）は、水平方向に配設されている。ただし、第２の回転軸の配設方向は水平方向に限定されるものではない。
【００２４】
チューブ支持棒１２は、ボス１３を回転中心として、図２の左右方向に回動することができる。これにより、チューブ支持棒１２は、記録ヘッドの走査に連動して（キャリッジ４の移動に連動して）可動となっている。また、それに加えて、チューブ支持棒１２は（支持棒ジョイント１４と一体的に）、ボス１６を回転中心として、チューブ支持棒１２の先端が上下動できるように回動することができる。これにより、チューブ支持棒１２は、インクチューブ１１が（チューブ支持棒１２に支持された状態で）上下方向に移動できるように可動となっている。
【００２５】
本実施形態において、第１の回転軸であるボス１３および第２の回転軸であるボス１６は、搬送面の外側（図２において、用紙搬送面１０よりも上方）に配設されており、チューブ支持棒１２は搬送面の上方から完全に退避できるようになっている。チューブ支持棒１２を退避させた様子を図４に示す。なお、図４は、搬送面を上から見た平面図である。
【００２６】
図４に示すように、チューブ支持棒１２がボス１３及びボス１６を中心に回転して、用紙搬送面１０の外側に退避する。そして、チューブ支持棒１２に支持されたインクチューブ１１も用紙搬送面１０の外側に退避する。図４（ａ）ではインクチューブ１１も用紙搬送面１０の外側に完全に退避している。また、図４（ｂ）では、インクチューブの一部が用紙搬送面１０の上方に位置しているものの、大部分は用紙搬送面１０の外側に退避している。このように、用紙搬送面１０の上方からジャム紙を除去する際に、チューブ支持棒１２およびインクチューブ１１が邪魔になることがなく、ジャム処理を容易に行うことができる。
【００２７】
図５は、図４の側面図である。図５（ｂ）は図５（ａ）の一部を拡大したものである。図２の状態（チューブ支持棒１２の先端部が用紙搬送面１０の上方に位置している状態）から、第２の回転軸であるボス１６を中心としてチューブ支持棒１２を（支持棒ジョイント１４と一体的に）回動させ、さらに、第１の回転軸であるボス１３を中心にチューブ支持棒１２を回転させることで、図４に示すようにチューブ支持棒１２を用紙搬送面１０から退避させる。これにより、インクチューブ１１も、一部あるいは全てが用紙搬送面１０の上方から退避することができる。
【００２８】
ところで、インクチューブは、たるみ分でチューブ支持棒にくっついて上方向に移動することができるが、チューブ支持棒を回転させていき、たるみ分がなくなった状態でさらに支持棒を回転させるとインクチューブが動かなくなり、チューブが継ぎ手部から取れて液体が漏れる可能性がある。そこで、チューブ支持棒の回転を所定の範囲に規制することで、インクチューブの外れを防止できるので好適である。
【００２９】
図６は、チューブ支持棒１２の回転範囲を規制するために設けた回転規制部を示す部分斜視図である。図６及び図３に示すように、装置本体側の構成部材２０に設けられたジョイント保持部２１の側面２個所に、受け部２３，２３が凸設されている。一方、支持棒ジョイント１４の端面には、規制突起１７が凸設されている。規制突起１７は、支持棒ジョイント１４の回転軸であるボス１６をジョイント保持部２１の穴２２にはめ込んだときに、ジョイント保持部２１の外側で２個所の受け部２３，２３の間に位置するようになっている。
【００３０】
支持棒ジョイント１４がボス１６を中心に回動すると、規制突起１７は図に両矢印で示すように回動し、ジョイント保持部２１の受け部２３，２３に当接することで、支持棒ジョイント１４の回転範囲が規制される。これにより、チューブ支持棒１２が支持棒ジョイント１４と一体的に回転するとき、チューブ支持棒１２の回転範囲が所定範囲に規制される。その回転範囲はインクチューブ１１が外れない範囲に設定されており、インクチューブ１１が継ぎ手部から取れて液体（インク）が漏れることを防止する。本実施形態において、チューブ支持棒１２が（支持棒ジョイント１４と共に）９０度回転することで真上を向くため、ジャム紙の除去性を考慮しても、それ以上回転する必要は無く、チューブ支持棒１２（支持棒ジョイント１４）の回転範囲は９０度に設定している。
【００３１】
上記したように、チューブ支持棒１２は支持棒ジョイント１４を介して本体側構成部材２０に取り付けられている。印字中のキャリッジ走査による振動で支持棒ジョイント１４が回転してしまうと、チューブ支持棒１２により支持されたインクチューブ１１が振れてキャリッジの挙動に影響を与えてしまう。そこで、図７に示すように、付勢部材（実施例ではコイルばね２４）により支持棒ジョイント１４を付勢して、支持棒ジョイント１４及びチューブ支持棒１２の不要な回転を防止すると好適である。
【００３２】
図７において、本体側構成部材２０に凸設された突起部２５に、コイルばね２４の巻回部が嵌め込まれている。コイルばね２４の一端は、装置本体の係止部２６に係止されている。コイルばね２４の他端は、支持棒ジョイント１４を付勢するように設置されている。このコイルばね２４により支持棒ジョイント１４を付勢して、支持棒ジョイント１４及びチューブ支持棒１２の不要な回転を防止している。これにより、インクチューブ１１の触れを防ぎ、キャリッジの挙動に影響を与えることを防止している。なお、付勢部材により支持棒ジョイント１４を付勢する構成は図示例に限らず、適宜な構成を採用可能である。付勢部材もコイルばねに限らず、適宜なものを採用可能である。
【００３３】
ところで、チューブ支持棒１２は、ジャム紙を除去する際に持ち上げるが、手を放すと元の位置に戻ってしまった場合には作業性が良くない。特に、図７で説明したように、付勢部材により戻る方向に力が加わっている構成とした場合は、付勢力によってチューブ支持棒１２（支持棒ジョイント１４）が戻ろうとするので、作業性が悪い。
【００３４】
そこで、チューブ支持棒１２を持ち上げたときに、手を離しても元の位置に戻らないようにしてやると好適である。そこで、持ち上げたチューブ支持棒１２が戻らないようにするロック機構を備えると好適である。図８に、ロック機構の一例を示す。
【００３５】
図８に示すロック機構は、本体側構成部材２０に設けられたジョイント保持部２１の側面にリブ２７を設け、このリブ２７により支持棒ジョイント１４の規制突起１７を保持させることで、ロック機構として作用するように構成したものである。ジョイント保持部２１の穴２２に、第２の回転軸であるボス１６が嵌めこまれて支持棒ジョイント１４が回転可能に取り付けられる。支持棒ジョイント１４の規制突起１７は、ジョイント保持部２１の外側面２１ａに沿って回動し、両側の受け部２３，２３で回転範囲を規制されている。
【００３６】
ロック部材としてのリブ２７は外側面２１ａに凸設されており、チューブ支持棒１２を持ち上げて支持棒ジョイント１４が回動したときに規制突起１７がリブ２７を乗り越えると、規制突起１７は図８に仮想線で示す上側の位置に保持され、支持棒ジョイント１４が元の位置に戻ることを規制する。これにより、ジャム処理時の作業性を向上させることができる。なお、チューブ支持棒１２を下げるときは、作業者が手でチューブ支持棒１２を回動させることで、規制突起１７がリブ２７を乗り越え、元の位置（図８に実線で示す位置）に戻すことができる。
【００３７】
一般的な装置構成では、用紙搬送面の上方をカバー部材（上カバー）で覆うように設けている。これは、ごみによる装置内部の汚染防止や、安全性（キャリッジ走査による危険を防止する）のためである。
【００３８】
本実施形態では、図９に示す用に上カバー６が設けられており、この上カバー６を開放すると、用紙搬送面１０（図２等参照）が露出され、チューブ支持棒１２にアクセスできる。すなわち、用紙詰まりが発生した場合、上カバー６を開放してジャム処理を行う。ジャム処理に際しては、上カバー６を開放した後、チューブ支持棒１２を持ち上げ、ジャム紙を除去する、という手順となる。
【００３９】
そこで、上カバー６の開閉に連動してチューブ支持棒１２が上昇及び下降するように構成してやると、ジャム処理時の手順を少なくして効率良く作業できるので好適である。上カバー６の開閉に連動してチューブ支持棒１２が上昇及び下降する構成例を図１０に示す。
【００４０】
図１０（ａ）に示す構成例は、上カバーとチューブ支持棒を連結する連結部材として紐部材を用いた構成であり、上カバー６とチューブ支持棒１２を連結紐１８で連結したものである。上カバー６を開放すると、連結紐１８で連結されたチューブ支持棒１２が上昇し、インクチューブ１１が用紙搬送面から退避する。また、上カバー６を閉めると、チューブ支持棒１２及びインクチューブ１１は、自重により当初の位置に戻る。
【００４１】
図１０（ｂ）に示す構成例は、連結部材としてばね部材を用いた構成であり、上カバー６とチューブ支持棒１２を引っ張りスプリングである連結ばね１９で連結したものである。上カバー６を開放すると、連結ばね１９で連結されたチューブ支持棒１２が上昇し、インクチューブ１１が用紙搬送面から退避する。また、上カバー６を閉めると、チューブ支持棒１２及びインクチューブ１１は、自重により当初の位置に戻る。
【００４２】
なお、このほか、上カバー６とチューブ支持棒１２を棒状部材で連結しても良い。また、リンク部材を用いて上カバー６とチューブ支持棒１２を連結する構成も考えられる。そのほか、適宜な構成を採用可能である。
【００４３】
上記説明したように、本発明によれば、ジャム処理や点検・修理等を行う際には、チューブ支持部材に支持されたチューブを、ヘッドの走査面の上方から退避させることができるので、チューブ支持部材およびチューブが作業の邪魔にならず、作業効率を向上させることができる。
【００４４】
また、チューブ支持部材が、チューブを下降させる方向に付勢部材により付勢されている構成により、走査中にチューブが振動することを防ぎ、キャリッジの挙動を安定化させることができる。チューブを退避させるときには、付勢力に抗してチューブを上昇させてやれば、チューブを退避させることができるため、ジャム処理等の作業を簡単に行うことができる。
【００４５】
また、チューブを所定位置に上昇させた状態でチューブ支持部材をロックするロック手段を有する構成により、チューブを上昇させたときに手を放しても元の位置に戻ることがなく、効率よく作業を行うことができる。
【００４６】
また、チューブ支持部材の、チューブを上下に移動させる方向の可動範囲を規制する規制部材を有する構成により、チューブ支持部材を昇降させたときにチューブが継ぎ手部から外れてしまうことを防止できる。これにより、液体の漏れを未然に防ぐことができる。
【００４７】
また、装置上側から吐出ヘッド走査面を覆うカバー部材を有し、該カバー部材の開閉と連動して前記チューブ支持部材が移動する構成により、カバー部材を開放すればチューブを退避させることができ、作業性をさらに向上させることができる。
【００４８】
また、チューブ支持部材が、回転方向の異なる第１の回転軸と第２の回転軸によりそれぞれ回動可能に構成されているので、チューブ支持部材を２方向に移動（回動）させることが可能となり、チューブをヘッドの走査面の上方から退避させて、作業性に優れた空間を作り出すことができる。
【００４９】
また、チューブ支持部材が、第１の回転軸により回動可能な第１部材と、第２の回転軸により回動可能な第２部材とからなるので、チューブをヘッドの走査面の上方から退避させる構成を、簡単な部材構成で実現することができる。
【００５０】
以上、本発明を図示例により説明したが、本発明はこれに限定されるものではない。画像形成装置各部の構成は、適宜な構成を採用可能である。液体チューブを支持するチューブ支持部材も、任意の形状とすることができる。また、そのチューブ支持部材を支持する構成も適宜な形態を採用可能である。インクの色数は４色に限らず、任意の色数で構成できるものである。さらに、画像形成装置としてはプリンタに限らず、複写装置やファクシミリ、あるいは複数の機能を備える複合機であっても良い。
【００５１】
なお、「液体」とは、記録液、インクに限るものではなく、吐出されるときに流体となるものであれば特に限定されるものではない。また、「液体吐出装置」とは液体吐出ヘッドから液体を吐出する装置を意味し、画像形成・画像記録を行うものに限定されない。また、吐出ヘッドの数や構成は任意である。吐出方式も任意の方式を採用可能である。
【符号の説明】
【００５２】
４            キャリッジ
６            上カバー（カバー部材）
１０          用紙搬送面（ヘッド走査面）
１１          インクチューブ（チューブ）
１２          チューブ支持棒（チューブ支持部材）
１３          ボス（第１の回転軸）
１４          支持棒ジョイント（チューブ支持部材）
１６          ボス（第２の回転軸）
１７          規制突起
１８          連結紐
１９          連結ばね
２０          本体側構成部材
２１          ジョイント保持部
２３          受け部
２４          コイルばね（付勢部材）
２７          リブ（ロック手段）
【先行技術文献】
【特許文献】
【００５３】
【特許文献１】特開２０１３−１２１６５９号公報
【図１】
2015223719.tif 000003
【図２】
2015223719.tif 000004
【図３】
2015223719.tif 000005
【図４】
2015223719.tif 000006
【図５】
2015223719.tif 000007
【図６】
2015223719.tif 000008
【図７】
2015223719.tif 000009
【図８】
2015223719.tif 000010
【図９】
2015223719.tif 000011
【図１０】
2015223719.tif 000012
【図１１】
2015223719.tif 000013
【図１２】
2015223719.tif 000014